(57)【特許請求の範囲】
【請求項１】
背面部と、
背面部の一側縁から延びる内側前面部と、
背面部の他側縁から延びる外側前面部と、
背面部と内側前面部との間、背面部と外側前面部との間に、各々設けられた一対の袖部と、を備え、
背面部と外側前面部は、互いの下方部が縫い合わされて、切り欠かれた股部を形成するとともに、股部の両側に筒状の一対の脚部を形成し、
外側前面部は、内側前面部の外方に位置して、その自由端縁が内側前面部上に面ファスナーにより固定されていることを特徴とする乳児用衣服。
【請求項２】
股部は、その全域に亘って背面部と外側前面部とが縫い合わされていることを特徴とする請求項１記載の乳児用衣服。
【請求項３】
内側前面部は、少なくとも乳児の胸部と胴部とを覆っていることを特徴とする請求項１または２のいずれかに記載の乳児用衣服。
【請求項４】
内側前面部の上方部にはボタンが設けられ、
外側前面部の上方部にはボタンが嵌め込まれるボタン穴が設けられ、
内側前面部の上方部に設けられたボタン、または外側前面部の上方部に設けられたボタン穴のいずれか一方は複数設けられて、背面部の上端部と、内側前面部の上端部と、外側前面部の上端部とにより形成される首周り部の大きさを調整することができることを特徴とする請求項１乃至３のいずれかに記載の乳児用衣服。
【発明の詳細な説明】
【０００１】
【発明の属する技術分野】
本発明は、背面部と、内側前面部と、外側前面部と、一対の袖部とを備えた乳児用衣服に係り、とりわけ着衣を容易かつ簡単に行うことができる乳児用衣服に関する。
【０００２】
【従来の技術】
従来より、乳児用衣服として、背面部と、背面部の一側縁から延びる一方の前面部と、背面部の他側縁から延びる他方の前面部と、背面部と一方の前面部との間、および背面部と他方の前面部との間に各々設けられた一対の袖部と、を備えた乳児用衣服が知られている。このような乳児用衣服を乳児に着せた後、一方の前面部および他方の前面部にそれぞれ設けられたフックボタンを接合することにより、一方の前面部と他方の前面部とは固定される。
【０００３】
また、乳児用衣服には、背面部、一方の前面部、および他方の前面部のそれぞれの下方部により脚部が形成され、この脚部に乳児の脚が収納される。また、背面部、一方の前面部、および他方の前面部のそれぞれの上方部により乳児の頭を突出させて首周りを覆う首周り部が形成されている。
【０００４】
このような乳児用衣服には、乳児の２本の脚を一つの脚部に収納する一脚式と、乳児の２本の脚を股部を介して設けられた一対の脚部の各々に収納する二脚式とがある。
【０００５】
一脚式の乳児用衣服は、脚部の大きさによって歩行等の乳児の脚の動きを制限する。
【０００６】
他方、二脚式の乳児用衣服は、脚部の大きさによって、乳児の脚の動きを制限することはなく、一脚式の乳児用衣服に比べ、乳児の自由な脚の動きを可能にしている。
【０００７】
【発明が解決しようとする課題】
上述のように、二脚式の乳児用衣服は、一脚式の乳児用衣服に比べ、乳児の自由な脚の動きを可能にするという利点を有する。
【０００８】
このような二脚式の乳児用衣服において、一対の脚部は、股部を介して各々左右に形成されている。この股部は、予め形成されているわけではなく、背面部の下方部と、接合された一対の前面部とをフックボタンで接合することにより形成されている。このような乳児用衣服を乳児に着衣させる際には、一方の脚部に乳児の両脚が誤って入ってしまうことがある。また、一方の前面部と他方の前面部とをフックボタンで接合する作業や、背面部の下方部と一対の前面部とをフックボタンで接合する作業は、煩雑である。さらに、股部の一部のみが接合しているので、乳児用衣服を乳児に着衣させる際に、乳児の脚の指が股部に引っ掛かることが考えられる。
【０００９】
本発明は、このような点を考慮してなされたものであり、乳児への着衣をスムーズに行うことができ、乳児が着衣した際に、乳児の自由な脚の動きを確保することができる乳児用衣服を提供することを目的とする。
【００１０】
【課題を解決するための手段】
本発明は、背面部と、背面部の一側縁から延びる内側前面部と、背面部の他側縁から延びる外側前面部と、背面部と内側前面部との間、背面部と外側前面部との間に、各々設けられた一対の袖部と、を備え、背面部と外側前面部は、互いの下方部が縫い合わされて、切り欠かれた股部を形成するとともに、股部の両側に筒状の一対の脚部を形成し、外側前面部は、内側前面部の外方に位置して、その自由端縁が内側前面部上に面ファスナーにより固定されていることを特徴とする乳児用衣服である。
【００１１】
本発明によれば、背面部と外側前面部は互いの下方部が縫い合わされて予め切り欠かれた股部を形成するとともに、股部の両側に筒状の一対の脚部を形成するので、一方の脚部に乳児の両脚が誤って入ることはなく、乳児への着衣をスムーズに行うことができる。また、内側前面部と外側前面部は面ファスナーにより固定されるので、内側前面部と外側前面部との着脱を簡単に行うことができる。
【００１２】
好ましくは、股部は、その全域に亘って背面部と外側前面部とが縫い合わされている。
【００１３】
好ましくは、内側前面部は、少なくとも乳児の胸部と胴部とを覆っている。
【００１４】
好ましくは、内側前面部の上方部にはボタンが設けられ、外側前面部の上方部にはボタンが嵌め込まれるボタン穴が設けられ、内側前面部の上方部に設けられたボタン、または外側前面部の上方部に設けられたボタン穴のいずれか一方は複数設けられて、背面部の上端部と、内側前面部の上端部と、外側前面部の上端部とにより形成される首周り部の大きさを調整することができる。
【００１５】
【発明の実施の形態】
以下、図面を参照して本発明の一実施の形態について説明する。
【００１６】
図１乃至図３は本発明の一実施形態を示す図である。図１は、本発明による乳児用衣服を前面から見た図である。図２は、内側前面部と外側前面部との固定部を示す概略図である。図３は、内側前面部を示す概略図である。
【００１７】
図１乃至図３に示すように、乳児用衣服１０は、背面部１と、背面部１の一側縁１ａから延びる内側前面部２と、背面部１の他側縁１ｂから延びる外側前面部３とを備えている。
【００１８】
背面部１と内側前面部２との間、および背面部１と外側前面部３との間には、各々一対の袖部４が設けられている。また、背面部１と外側前面部３は、予め互いの下方部が縫い合わされて、切り欠かれた股部８を形成するとともに、股部８の両側に筒状の一対の脚部５ａ、５ｂを形成する。なお、股部８は、その全域に亘って背面部１と外側前面部３とが縫い合わされている。また、一対の脚部５ａ、５ｂのうち、一方の脚部５ａは、背面部１および外側前面部３により予め円筒状に形成された固定側脚部５ａとなり、他方の脚部５ｂは後述のように内側前面部２と外側前面部３とを接合して形成される開放側脚部５ｂとなる。
【００１９】
図２に示すように、外側前面部３は内側前面部２の外方に位置し、外側前面部３の自由端縁３ａには複数の突起側面ファスナー１１ａが取り付けられている。また、内側前面部２のうち、外側前面部３に取り付けられた各突起側面ファスナー１１ａに対応する位置に受側面ファスナー１１ｂが複数取り付けられている。そして、突起側面ファスナー１１ａと受側面ファスナー１１ｂとによって、面ファスナー１１ａ、１１ｂが構成されている。
【００２０】
図３に示すように、内側前面部２は、下方部の一部が切り取られた形状を有しており、乳児（図示せず）が乳児用衣服１０を着衣した場合には、乳児の胸部および胴部が内側前面部２の胸部７ａおよび胴部７ｂにより覆われるようになっている。
【００２１】
図２に示すように、内側前面部２の上方部には円周方向に所定間隔を置いて複数のボタン１２が設けられており、また、外側前面部３の上方部にはボタン穴１３が設けられている。この内側前面部２に設けられた複数のボタン１２のうちいずれか１つが、外側前面部３に設けられたボタン穴１３に嵌め込まれることにより、背面部１の上端部１ｃと、内側前面部２の上端部２ａと、外側前面部３の上端部３ｃとにより乳児の頭が突出して首周りを覆う首周り部６が形成される。
【００２２】
また、図１乃至図３に示すように、内側前面部２の自由端縁２ｂの端部には結び紐１４ａが取り付けられ、外側前面部３の裏側には、内側前面部２の結び紐１４ａと結びつけられる結び紐１４ｂが取り付けられている。
【００２３】
次に、このような構成からなる本実施の形態の作用について説明する。
【００２４】
本実施の形態の乳児用衣服１０の乳児への着衣作用について概説する。
【００２５】
まず、内側前面部２と外側前面部３とを開放した状態で、乳児の脚の一方を予め形成された固定側脚部５ａに収納する。また、乳児の両腕を、一対の袖部４のそれぞれに収納する。
【００２６】
次に、内側前面部２により乳児の身体を覆う。このとき、内側前面部２は、その胸部７ａと胴部７ｂとにより乳児の胸部と胴部を覆う。そして、内側前面部２の自由端縁２ｂに取り付けられた結び紐１４ａと、外側前面部３の裏側に取り付けられた結び紐１４ｂとが結び合わされる。これにより、内側前面部２の自由端縁２ｂは外側前面部３の裏側に固定される。
【００２７】
次に、外側前面部３により乳児の身体全体を覆う。このとき、外側前面部３は内側前面部２の外方に位置することとなる。また、外側前面部３の自由端縁３ａに設けられた各突起側面ファスナー１１ａと、内側前面部２に設けられた受側面ファスナー１１ｂとが接合して、外側前面部３の自由端縁３ａが内側前面部２上に固定される。また、外側前面部３の突起側面ファスナー１１ａと内側前面部２の受側面ファスナー１１ｂとが接合して、背面部１と内側前面部２と外側前面部３とにより開放側脚部５ｂが形成され、乳児の他方の脚はこの開放側脚部５ｂに収納される。
【００２８】
また、内側前面部２の上方部に取り付けられた複数のボタン１２のうちいずれか一つのボタン１２が、外側前面部３の上方部に設けられたボタン穴１３に嵌め込まれる。このようにして、背面部１の上端部１ｃと、内側前面部２の上端部２ａと、外側前面部３の上端部３ｃとにより首周り部６が形成される。
【００２９】
このようにして、乳児用衣服１０が乳児に着衣される。このとき、股部８は、予め形成されており、股部８の全域に亘って背面部１の下端部と外側前面部３の下端部とが縫合されているので、例えば、固定脚部５ａに乳児の両脚を収納したり、一対の脚部５ａ、５ｂに乳児の脚を収納する際に乳児の脚が股部８に引っ掛かったりすることなく、確実に乳児の両脚を各脚部５ａ、５ｂ内に収納することができる。
【００３０】
また、内側前面部２は、その胸部７ａと胴部７ｂとにより乳児の胸部と胴部を覆うので、保護すべき乳児の胸部および胴部を、内側前面部２の胸部７ａおよび胴部７ｂと、外側前面部３とにより２重に保護する。また、内側前面部２は下方部の一部が切り取られているので、内側前面部２により乳児の脚は覆われず、乳児の脚は自由に動きやすい。さらに、内側前面部２の下方部の一部が切り取られることにより、乳児用衣服１０は軽量化される。
【００３１】
また、内側前面部２に設けられたボタン１２は円周方向に複数設けられているので、これらのボタン１２のそれぞれの位置に応じて適切なボタン１２をボタン穴１３に嵌め込むことにより、首周り部６の大きさは調整可能となる。なお、ボタン１２は、安全性を考慮すれば、ゴムボタン１２等の柔らかい材質からなることが望ましい。
【００３２】
ボタン１２を複数設ける代わりに、ボタン穴１３を複数設けて、乳児の首周りの大きさに適切に対応したボタン穴１３とボタン１２とを嵌め合わせることによっても、首周り部６の大きさを調整することができる。
【００３３】
さらに、外側前面部３と内側前面部２とは、外側前面部３の自由端縁３ａに設けられた各突起側面ファスナー１１ａと、内側前面部２に設けられた各受側面ファスナー１１ｂとが接合することにより固定される。従って、外側前面部３と内側前面部２とは、外側前面部３と内側前面部２とをフックボタンで接合する場合に比べて、容易かつスムーズに着脱することができる。また、内側前面部２に取り付けられた各受側面ファスナー１１ｂの幅は、外側前面部３に取り付けられた各突起側面ファスナー１１ａの幅に対して比較的大きくなっている。従って、乳児が成長して身体のサイズが変化しても、各突起側面ファスナー１１ａの各受側面ファスナー１１ｂに対する取り付け位置を調整することにより、乳児の身体の変化に適切に対応した乳児用衣服１０のサイズ調整が可能となる。
【００３４】
また、乳児用衣服１０の脚部の形態は二脚式となっているので、一脚式の乳児用衣服１０に比べ、乳児の自由な脚の動きが可能となっている。
【００３５】
以上説明したように、本実施の形態によれば、予め股部８が形成されており、股部８の全域に亘って背面部１の下端部と外側前面部３の下端部とが縫合されているので、一対の脚部５ａ、５ｂのうちいずれか一方に乳児の両脚を収納したり、乳児用衣服１０の着衣の際に乳児の脚の指が股部８に引っ掛かったりすることを防ぐことができる。これにより、乳児への乳児用衣服１０の着脱を、より安全かつスムーズに行うことができる。また、外側前面部３と内側前面部２とは、突起側面ファスナー１１ａと受側面ファスナー１１ｂとが接合することにより固定されるので、外側前面部３と内側前面部２との着脱を容易かつスムーズに行うことができる。
【００３６】
また、ボタン穴１３に嵌め込まれるボタン１２の位置に応じて、首周り部６の大きさを調整することができ、さらに、各突起側面ファスナー１１ａは、対応する受側面ファスナー１１ｂの幅方向に対して取り付け位置を調整することができる。これにより、乳児の身体の変化に適切に対応させた乳児用衣服１０のサイズ調整が可能となる。
【００３７】
さらに、乳児用衣服１０の脚部の形態として二脚式を採用し、また、内側前面部２は、その胸部７ａと胴部７ｂとにより乳児の胸部と胴部を覆うので、乳児の胸部と胴部を外側前面部３を含めて２重に保護することができる。さらに、内側前面部２の下方部の一部が切り取られ、乳児用衣服１０の軽量化が図られている。
【００３８】
【発明の効果】
以上説明したように、本発明によれば、乳児の身体、特に乳児の胸部および胴部、を充分に保護すると同時に、乳児への着衣を容易かつスムーズに行うことができ、乳児の一対の脚を、確実かつ簡単に、乳児用衣服の一対の脚部に収納することができる。
【図面の簡単な説明】
【図１】本発明による乳児用衣服の一実施形態を前面から見た図。
【図２】本発明による乳児用衣服の一実施形態における内側前面部と外側前面部との固定部を示す概略図。
【図３】本発明による乳児用衣服の一実施形態における内側前面部を示す概略図。
【符号の説明】
１  背面部
１ａ  背面部の一側縁
１ｂ  背面部の他側縁
１ｃ  背面部の上端部
２  内側前面部
２ａ  内側前面部の上端部
２ｂ  内側前面図の自由端縁
３  外側前面部
３ａ  外側前面部の自由端縁
３ｂ  外側前面部の上端部
４  袖部
５ａ  固定側脚部
５ｂ  開放側脚部
６  首周り部
７ａ  内側前面部の胸部
７ｂ  内側前面部の胴部
８  股部
１０  乳児用衣服
１１ａ  突起側面ファスナー
１１ｂ  受側面ファスナー
１２  ボタン
１３  ボタン穴
１４ａ  結び紐
１４ｂ  結び紐
【図１】
0003604350.tif 000002
【図２】
0003604350.tif 000003
【図３】
0003604350.tif 000004